(57)【要約】【課題】樹脂注入ノズル内の樹脂に接触する流路の近傍を、冷熱媒体を流すなどして温度制御をするにあたり、樹脂注入ノズル近傍まで配管を接続するための配管の準備を削減でき、また、樹脂注入ノズルを複数適用した場合においても、施工が容易であり、かつ、樹脂注入ノズルを配置する場所を自由に設計できる繊維強化樹脂の製造装置および製造方法を提供する。【解決手段】成形型のキャビティ内に強化繊維基材を配置し、樹脂注入ノズルより樹脂を注入して成形する繊維強化樹脂の製造装置において、前記成形型の内部に１又は複数の金型冷熱媒流路が設けられ、前記金型冷熱媒流路に前記樹脂注入ノズルを内包する温調スリーブを挿入するスリーブ挿入孔が設けられるとともに、前記温調スリーブの外側面に沿って前記金型冷熱媒供給路と連通するスリーブ冷熱媒流路が設けられることを特徴とする繊維強化樹脂の製造装置。【選択図】図４
2014087995.tif 000002
【特許請求の範囲】
【請求項１】
成形型のキャビティ内に強化繊維基材を配置し、樹脂注入ノズルより樹脂を注入して成形する繊維強化樹脂の製造装置において、
前記成形型の内部に１又は複数の金型冷熱媒流路が設けられ、
前記金型冷熱媒流路に前記樹脂注入ノズルを内包する温調スリーブを挿入するスリーブ挿入孔が設けられるとともに、
前記温調スリーブの外側面に沿って前記金型冷熱媒供給路と連通するスリーブ冷熱媒流路が設けられることを特徴とする繊維強化樹脂の製造装置。
【請求項２】
前記金型冷熱媒流路が、前記キャビティを形成する面と略平行に設けられていることを特徴とする、請求項１に記載の繊維強化樹脂の製造装置。
【請求項３】
前記スリーブ挿入孔が、複数の金型冷熱媒流路にわたって設けられていることを特徴とする、請求項１または２に記載の繊維強化樹脂の製造装置。
【請求項４】
前記樹脂注入ノズルより注入される樹脂が熱硬化樹脂であることを特徴とする、請求項１〜３のいずれかに記載の繊維強化樹脂の製造装置。
【請求項５】
前記樹脂注入ノズルに、該樹脂注入ノズル内に滞留する前記樹脂を温調するノズル冷熱媒ラインが設けられていることを特徴とする請求項１〜４のいずれかに記載の繊維強化樹脂の製造装置。
【請求項６】
成形型のキャビティ内に、強化繊維基材を配置し、樹脂注入ノズルより樹脂を注入して成形する繊維強化樹脂の製造方法において、
前記成形型の内部に１又は複数の金型冷熱媒流路が設けられ、
前記金型冷熱媒流路に前記樹脂注入ノズルを内包する温調スリーブを挿入するスリーブ挿入孔が設けられるとともに、
前記温調スリーブの外側面に沿って前記金型冷熱媒供給路と連通するスリーブ冷熱媒流路が設けられることを特徴とする繊維強化樹脂の製造方法。
【請求項７】
前記金型冷熱媒流路に流れる冷熱媒の温度が成形前から成形後まで一定であることを特徴とする請求項６に記載の繊維強化樹脂の製造方法。
【請求項８】
前記ノズル冷熱媒ラインに流れる冷熱媒の温度が成形前から成形後まで一定であることを特徴とする請求項６または７に記載の繊維強化樹脂の製造方法。
【発明の詳細な説明】
【技術分野】
【０００１】
本発明は、繊維強化樹脂（ＦＲＰ）の製造装置に関する。また、繊維強化樹脂（ＦＲＰ）の製造方法に関する。
【背景技術】
【０００２】
従来、樹脂製品を成形するための樹脂の製造装置には、キャビティ内への樹脂の注入及び停止機能を担う樹脂注入ノズル（バルブとも呼ばれる）が内包されており、キャビティ表面の温度は、キャビティ表面近傍に冷熱媒体が流れる流路や、電気ヒーターを配置するなどして、注入された樹脂が硬化するよう温度制御している。ここで、樹脂注入ノズル内の樹脂に接触する流路の近傍は、冷熱媒体が流れる流路や、電気ヒーターを配置するなどして、注入する前の樹脂が硬化しないよう、流動性を有する状態に保つために、キャビティ内の温度制御とは別の温度に制御することが知られている（特許文献１）。
【０００３】
しかし、従来は冷熱媒体を流す専用の単独の配管を樹脂注入ノズル近傍まで配設し、冷熱媒体を供給していた。それによって、接続のための配管の準備・施工等の費用が必要であった。
【０００４】
さらに、樹脂注入ノズルを複数設けることによって、樹脂の注入にかかる時間を短縮する方法も知られている（特許文献２）。しかし、この場合、複数の樹脂注入ノズルへ冷熱媒体を供給する必要が生じ、樹脂注入ノズルの数量が増えるほど、接続のための配管の準備・施工等の費用が必要となり、施工が困難だった。また、当然、樹脂注入ノズルまでの配管自体からも熱の放出が発生するため、それを補うための光熱費が必要であったり、熱の放出を軽減するための断熱材の費用が必要であった。
【０００５】
また、キャビティ表面を温度調整するために設けられた冷熱媒体が流れる流路は、樹脂注入ノズルに干渉しないよう、干渉しない場所に配置したり、樹脂注入ノズルを迂回するように配置することが知られている（特許文献３）。しかし、この場合、樹脂注入ノズルの配置場所に制約を受ける事態が生じていた。
【先行技術文献】
【特許文献】
【０００６】
【特許文献１】特開２０１１−２０３３７号公報
【特許文献２】特開２０１０−８９５０１号公報
【特許文献３】特願２０１０−５０９６０１号公報
【発明の概要】
【発明が解決しようとする課題】
【０００７】
本発明の目的は、樹脂注入ノズル内の樹脂に接触する流路の近傍を、冷熱媒体を流すなどして温度制御をするにあたり、樹脂注入ノズル近傍まで配管を接続するための配管の準備を削減でき、また、樹脂注入ノズルを複数適用した場合においても、施工が容易であり、かつ、不必要な熱の放出による、光熱費の無駄や断熱材の費用も必要なく、また、樹脂注入ノズルを配置する場所を自由に設計できる繊維強化樹脂の製造装置および製造方法を提供することにある。
【課題を解決するための手段】
【０００８】
上記目的を達成するために、本発明は、成形型のキャビティ内に強化繊維基材を配置し、樹脂注入ノズルより樹脂を注入して成形する繊維強化樹脂の製造装置において、前記成形型の内部に１又は複数の金型冷熱媒流路が設けられ、前記金型冷熱媒流路に前記樹脂注入ノズルを内包する温調スリーブを挿入するスリーブ挿入孔が設けられるとともに、前記温調スリーブの外側面に沿って前記金型冷熱媒供給路と連通するスリーブ冷熱媒流路が設けられることを特徴とする製造装置を提供する。
【０００９】
本発明の繊維強化樹脂の製造装置において、前記金型冷熱媒流路が、前記キャビティを形成する面と略平行に設けられていることが好ましい。
【００１０】
本発明の繊維強化樹脂の製造装置において、前記スリーブ挿入孔が、複数の金型冷熱媒流路にわたって設けられていることが好ましい。
【００１１】
本発明の繊維強化樹脂の製造装置において、前記樹脂注入ノズルより注入される樹脂が熱硬化樹脂であることが好ましい。
【００１２】
本発明の繊維強化樹脂の製造装置において、前記樹脂注入ノズルに、該樹脂注入ノズル内に滞留する前記樹脂を温調するノズル冷熱媒ラインが設けられていることが好ましい。
【００１３】
また、上記目的を達成するために、本発明は、成形型のキャビティ内に、強化繊維基材を配置し、樹脂注入ノズルより樹脂を注入して成形する繊維強化樹脂の製造方法において、前記成形型の内部に１又は複数の金型冷熱媒流路が設けられ、前記金型冷熱媒流路に前記樹脂注入ノズルを内包する温調スリーブを挿入するスリーブ挿入孔が設けられるとともに、前記温調スリーブの外側面に沿って前記金型冷熱媒供給路と連通するスリーブ冷熱媒流路が設けられることを特徴とする繊維強化樹脂の製造方法を提供する。
【００１４】
本発明の繊維強化樹脂の製造方法において、前記金型冷熱媒流路に流れる冷熱媒の温度が成形前から成形後まで一定であることが好ましい。
【００１５】
本発明の繊維強化樹脂の製造方法において、前記ノズル冷熱媒ラインに流れる冷熱媒の温度が成形前から成形後まで一定であることが好ましい。
【発明の効果】
【００１６】
本発明によれば、複数の樹脂注入ノズルを配置した場合にも、配管の準備や施工にかかる費用を削減でき、また、樹脂注入ノズルを配置できる場所の自由度が高いため、複数の樹脂注入ノズルからキャビティ内へ、より早く樹脂の注入を完了させるよう、樹脂の注入場所を変更することが要求された場合においても、適用が可能となる。
【００１７】
よって、このような繊維強化樹脂の製造装置および製造方法を用いることで、樹脂製品を製造するコストが下げられるため、コストパフォーマンスに優れた繊維強化樹脂を得ることができる。
【図面の簡単な説明】
【００１８】
【図１】本発明の繊維強化樹脂の製造装置における成形型の一例を示す概略正面断面図である。
【図２】図１に示す成形型を上から見た概略平面図である。
【図３】図１に示す成形型に樹脂注入ノズルを配置した樹脂注入ノズル周辺の拡大図である。
【図４】図３におけるII−II断面図である。
【図５】図３におけるII−II断面の他の態様を示す断面図である。
【図６】本発明の繊維強化樹脂の製造方法を示す成形品の製造フロー図である。
【発明を実施するための形態】
【００１９】
以下、図面を用いながら本発明を説明する。なお、本発明は当該図面の態様に何ら限定されるものではない。
【００２０】
図１は、本発明の繊維強化樹脂の製造装置における成形型の一例を示す概略正面断面図である。
【００２１】
本発明の製造装置は、上型２００、下型２４０といった複数の型から構成される成形型２６０を有し、上型２００、下型２４０によって形成されるキャビティ２０１に強化繊維基材２０５を配設し、型締めした後、樹脂を注入して繊維強化樹脂を成形するものである。
【００２２】
成形型２６０は、複数の型２００、２４０を開閉する型開閉機構２０３を有している。型開閉機構２０３は、下型２４０に取り付けられた昇降下盤２６５と、上型２００に取り付けられた支柱２６３と、支柱２６３の上部に取り付けられた昇降上盤２６４と、昇降上盤２６４に取り付けられ昇降上盤２６４を昇降させる昇降機構２０４とからなる。この態様においては、昇降下盤２６５は、成形型２６０の基台（図示せず）に固定され上下方向に移動しない。従って、下型２４０もその位置が固定されている。上型２００が、下型２４０に対し、昇降機構２０４により離接する。これにより、上型２００と下型２４０との間において各型の開閉が可能となる。
【００２３】
成形型２６０において、上型２００と下型２４０の間には所望の形状のキャビティ２０１が設けられており、注入した樹脂を強化繊維基材に含浸、硬化させて、繊維強化樹脂を所望の形状とすることができる。
【００２４】
キャビティ２０１の周囲には、樹脂注入時等に型外へ樹脂が漏れないよう、上型２００と下型２４０の間をシールするシール材２４１が配置されている。
【００２５】
成形型２６０において、キャビティ２０１の表面は注入された樹脂を硬化させるために、温度制御を行うための機構が設けられている。以下、具体的に説明する。
【００２６】
上型２００と下型２４０には、それぞれ金型冷熱媒流路２１０、２３０が設けられている。金型冷熱媒流路２１０、２３０は、キャビティ２０１を形成する面と略平行に設けられている。キャビティ２０１が複雑な形状の場合には、キャビティ２０１の形状に沿うように複数個所から金型冷熱媒流路２３０が穿孔されており、不要な流路を塞ぐために止め栓２７０が挿入固定され、封止されている。止め栓２７０としては穴埋め溶接や、ネジ等が用いられる。
【００２７】
金型冷熱媒流路２３０への冷熱媒体の供給は、成形型２６０の外部に設けられた冷熱媒体供給装置（図示せず）から冷熱媒接続口２１１に接続し、冷熱媒体を循環させつつ温度制御を実施する。冷熱媒体としては、例えば、水や油が用いられる。
【００２８】
成形型２６０には、強化繊維基材２０５を配置したキャビティ２０１に連通するように、上型２００、下型２４０の少なくとも一面にスリーブ挿入孔２５０が設けられている。さらに、このスリーブ挿入孔２５０に嵌合するように、キャビティ２０１と接する面に注入口１２０を有する温調スリーブ１００が挿入固定されている。ここで、スリーブ挿入孔２５０の孔形状は特に限定されるものではないが、冷熱媒体を抵抗なく循環させるには円形が好ましい。
【００２９】
さらに、成形型２６０には、キャビティ２０１内に樹脂の注入の開始と停止を行う樹脂注入ノズル３００が、温調スリーブ１００内に挿入固定されている。図示は省略するものの、複数の樹脂注入ノズル３００は、上型２００と下型２４０とに分散して設けてもよい。樹脂注入機（図示なし）より送液された樹脂は、樹脂注入ノズル３００を通じてキャビティ２０１内に導入され、キャビティ２０１内に配設された強化繊維基材へと含浸される。
【００３０】
成形型２６０で成形を行う場合、キャビティ２０１内の空間を樹脂注入前に真空ポンプ（図示なし）によって真空状態にし、その後樹脂を注入すると、強化繊維基材２０５中に残存する気泡の抱きこみの少ない成形品を得ることができ、また、樹脂の含浸を早くできる。
【００３１】
図２は、図１の成形型を上から見た概略平面図である。上型２００には、複数のスリーブ挿入孔２５０が金型冷熱媒流路２１０と連通するように設けられている。
【００３２】
金型冷熱媒流路２１０は上型２００内に複数設けられており、隣接する金型冷熱流路２１０同士は、図１で図示を省略したＵ字接続ホース２１２で接続されている。金型冷熱媒流路２１０への冷熱媒体の供給は、成形型２６０の外部に設けられた冷熱媒体供給装置（図示せず）から冷熱媒接続口２１１に接続して冷熱媒体を循環させる。これにより、上型２００を温度制御することができる。なお、下型２４０も同様に構成されている。
【００３３】
図１に示す成形型２６０に樹脂注入ノズル３００を配置した周辺の拡大図を図３に示す。上型２００には、温調スリーブ１００がスリーブ挿入孔２５０に嵌合されている。温調スリーブ１００の外周のうち、金型冷熱媒流路２１０と連通する部分を含む外周の一部を、スリーブ挿入孔２５０の孔径よりも細くして冷熱媒体が流通できるようにした、スリーブ冷熱媒流路１１０が設けられている。温調スリーブ１００の上下には、金型温調流路２１０から供給された冷熱媒体が、上型２００の外側やキャビティ２０１内へ漏れ出さないよう、それぞれＯリング１４０、１５０が設けられている。このように、温調スリーブ１００の一部に金型冷熱媒流路２１０と連通するリング状のスリーブ冷熱媒流路１１０を設けることで、金型冷熱媒流路２１０を循環する冷熱媒体によって温調スリーブ１００の温度制御を行うことができる。
【００３４】
また、樹脂注入ノズル３００において、注入前の樹脂３１０は樹脂注入ノズル３００内に滞留しており、後述する強化繊維基材に含浸させた樹脂を硬化させている間も、注入前の樹脂の流動性を有する状態を保つために、ノズル冷熱媒ライン３２０によって温度制御されている。
【００３５】
図３のII−II断面図の一態様を図４に示す。図４の場合、１本の金型冷熱媒流路２１０に連通するように円形のスリーブ挿入孔２５０が設けられており、温調スリーブ１００の側面や注入口１２０は、いずれも同心円状に配置されていると、スリーブ冷熱媒流路１１０の流路体積がほぼ均一となり、むらなく温度制御することができる。
【００３６】
図５は、図４とは異なる形態の断面図を示したものである。隣接する金型冷熱媒流路２１０ｃ、２１０ｄを跨ぐようにスリーブ挿入孔２５０を設けて温調スリーブ１００を配置した場合でも、図４と同様に、リング状のスリーブ冷熱媒流路１１０が形成可能である。
【００３７】
上述のように構成した成形型２６０を用いて繊維強化樹脂を成形する製造方法について、図６に示す製造フロー図を用いて説明する。
【００３８】
成形品を製造するにあたり、最初に成形型２６０の温度制御を実施する（温度制御４００）。金型冷熱媒流路２１０、２３０や、ノズル冷熱媒ライン３２０へ所望の温度に設定された冷熱媒体を循環させて、成形型２６０の温度を制御する。例えば、製造しようとする繊維強化樹脂が熱硬化樹脂の場合は、金型冷熱媒流路の温度は、ノズル冷熱媒ライン３２０の温度よりも高く。熱可塑樹脂の場合は、その反対の温度に設定することが好ましい。
【００３９】
成形型２６０の温度が所望の温度に達し安定させた後、上型２００と下型２４０とを離間させて（成形型２６０を開けて）、キャビティ２０１内に基材を配置する（配置４１０）。配置する強化繊維基材２０５は、配置のしやすさから、あらかじめ、キャビティ２０１の形状に予備腑形されたプリフォームであることが好ましい。
【００４０】
強化繊維基材２０５を配置した後、成形型２６０の上型２００と下型２４０を閉じる（型締４２０）。
【００４１】
そして、キャビティ２０１内を真空ポンプにて真空状態にし（真空吸引４３０）、樹脂注入バルブから強化繊維基材２０５へ樹脂を加圧含浸する（樹脂注入４４０）。
【００４２】
所定の樹脂量を含浸させた後、一定時間保持することで樹脂を硬化させ（硬化時間経過４５０）、その後上型２００と下型２４０とを型開きし（型開４６０）、次いで成形品を型から取り外す（脱型４７０）ことで、成形品が完成する。
【００４３】
なお、成形サイクル全体を通じて、金型冷熱媒流路２１０、２３０や、ノズル冷熱媒ライン３２０に冷熱媒体を循環し続け、所定の温度を一定に維持させておくことが好ましい。金型冷熱媒流路２１０、２３０による温調は、短時間で含浸させた樹脂を硬化させるのに必要な温度に保持されていることで、後述するノズル冷熱媒ライン３２０に冷熱媒体を循環し、温調することで、注入口１２０近傍の温度ムラを発生させにくくし、成形品全体を均一に硬化させ、ヒケ等の発生を防止することができる。一方、ノズル冷熱媒ライン３２０によって、樹脂注入ノズル３００内に残存する樹脂の硬化を防止でき、１つの成形品が完成した後、樹脂注入バルブ３００や注入口１２０近傍に樹脂を固着させることなく、スムーズに連続して成形（樹脂含浸）が可能となる。これにより、成形に要する時間（成形サイクル）を短縮できるとともに、１つの成形品完成後における注入口１２０の清掃等といった作業時間を削除することができる。これにより、製造コストの削減が可能となる。なお、使用する樹脂の種類によっては、金型の温度を成形中に変更することは妨げられるものではない。
【００４４】
成形型２６０の各型２００、２４０は、必要なキャビティ２０１の形状を加工できる材質であれば特に限定されるものではないが、金属材料を用いると、成形型全体や温調スリーブ１００の温調を短時間で調整でき、また温度変化の追従性が高い面で好ましい。金属としては、例えば、アルミニウム、鉄、亜鉛合金が適用できる。
【００４５】
温調スリーブ１００の材質は、伝熱を考慮し、金属であることが好ましい。金属としては、例えば、アルミニウム、鉄、亜鉛合金が適用できるが、より好ましくは、銅合金が上げられる。
【００４６】
温調スリーブの注入口１２０の内表面は、樹脂注入ノズル３００の樹脂の注入開始および停止を行うピンの摺動がある場合は、磨耗を防いだり、樹脂の固着を防ぐために、表面処理が施されていることが好ましい。表面処理としては、ハードクロムメッキ処理がある。
【００４７】
樹脂注入ノズル３００の樹脂の注入開始および停止を行うピン（図示せず）が、上型２００の内壁面にまで到達し、ピンの先がキャビティ２０１を形成する面と連続した形状となるよう設計されていれば、成形される繊維強化樹脂の成形体表面に、ピンの痕が残らないので好ましい。
【００４８】
本発明の繊維強化樹脂の製造装置および製造方法に適用する強化繊維としては、例えば、炭素繊維、ガラス繊維、アラミド繊維、金属繊維、ボロン繊維、アルミナ繊維、炭化ケイ素繊維がある。これらの繊維は、単独、あるいは、組み合わせて用いることができる。これらの中で、機械的特性に優れる炭素繊維が好ましく用いられる。強化繊維基材の形態としては、例えば、強化繊維が一方向に配列されたシート、強化繊維からなる織物、不織布がある。強化繊維基材は、強化繊維以外に、樹脂の流動を促進する樹脂流動メディアをその内部あるいは外部に伴っていても良い。通常、強化繊維基材の複数枚が、型の内壁面に、キャビティの形状に沿うように配置される、あるいは、事前に、複数枚の強化繊維基材が積層され、一定の形状に賦形されたプリフォームが作成され、このプリフォームが型の内壁面に、キャビティの形状に沿うように配置される。樹脂流動メディアとしては、従来知られている樹脂流動メディアが用いられる。
【００４９】
本発明に係る繊維強化樹脂の製造方法は、繊維強化樹脂とコア材との積層構造を有する繊維強化樹脂成形体を成形する際にも用いることができる。このような繊維強化樹脂成形体としては、例えば、コア材の両側に繊維強化樹脂層を配置したサンドイッチ構造体がある。コア材としては、例えば、弾性体、発泡材、ハニカム材がある。軽量化のためには、発泡材やハニカム材が好ましく用いられる。発泡材としては、ポリウレタン、アクリル、ポリスチレン、ポリイミド、塩化ビニル、フェノールなどの高分子材料からなる発泡材がある。ハニカム材としては、例えば、アルミニウム合金、紙、アラミドペーパーから形成されたハニカム構造材がある。
【００５０】
本発明に係る繊維強化樹脂の製造方法の実施に際して用いられる樹脂としては、粘度が低く強化繊維基材への含浸が容易な熱硬化性樹脂または熱可塑性樹脂からなるレジンインジェクションモールディング（ＲＩＭ）用モノマーが、好ましく用いられる。
【００５１】
熱硬化性樹脂としては、例えば、エポキシ樹脂、不飽和ポリエステル樹脂、ビニルエステル樹脂、フェノール樹脂、グアナミン樹脂、また、ビスマレイド・トリアジン樹脂等のポリイミド樹脂、フラン樹脂、ポリウレタン樹脂、ポリジアリルフタレート樹脂、更に、メラミン樹脂、ユリア樹脂やアミノ樹脂がある。
【００５２】
熱可塑性樹脂としては、例えば、ナイロン６樹脂、ナイロン６６樹脂、ナイロン１１樹脂などのポリアミド樹脂、またはこれらポリアミド樹脂の共重合ポリアミド樹脂、また、ポリエチレンテレフタラート樹脂、ポリブチレンテレフタラート樹脂などポリエステル脂、またはこれらポリエステル樹脂の共重合ポリエステル樹脂、更に、ポリカーボネート樹脂、ポリアミドイミド樹脂、ポリフェニレンスルファイド樹脂、ポリフェニレンオキシド樹脂、ポリスルホン樹脂、ポリエーテルスルホン樹脂、ポリエーテルエーテルケトン樹脂、ポリエーテルイミド樹脂、ポリオレフィン樹脂など、更にまた、ポリエステルエラストマー樹脂、ポリアミドエラストマー樹脂などに代表される熱可塑性エラストマー樹脂がある。
【００５３】
樹脂として、上記の熱硬化性樹脂、熱可塑性樹脂、ゴムから選ばれた複数がブレンドされている樹脂を用いることもできる。中でも好ましい樹脂として、自動車用外板部材の意匠性に影響を与える成形時の熱収縮を抑える観点から、エポキシ樹脂がある。
【００５４】
一般的に、複合材料用エポキシ樹脂としては、主剤として、ビスフェノールＡ型エポキシ樹脂、フェノールノボラック型エポキシ樹脂、グリシジルアミン型エポキシ樹脂が用いられる。一方、硬化剤としては、ジシアンジアミドにジクロロフェニルジメチル尿素を組み合わせた硬化剤が作業性、物性等のバランスに優れている点で好適に使用されている。しかし、特に限定されるものではなく、ジアミノジフェニルスルホン、芳香族ジアミン、酸無水物ポリアミドなども使用できる。また、樹脂と強化繊維基材の比率は、体積比率で、３０：７０乃至７０：３０の範囲が、外板として適当な剛性を保持する点で、好ましく、更に好ましくは、体積比率で、４０：６０乃至６０：４０が、樹脂の強化繊維基材への含浸性と含浸速度の観点から好ましい。また、ＦＲＰ構造体の熱収縮を低減させ、クラックの発生を抑えるという点から、エポキシ樹脂または熱可塑性樹脂やゴム成分などを配合した変性エポキシ樹脂、ナイロン樹脂、ジシクロペタジエン樹脂が、好ましく用いられる。
【符号の説明】
【００５５】
１００        温調スリーブ
１００ａ〜ｃ  温調スリーブ
１１０        スリーブ冷熱媒流路
１１０ａ〜ｃ  スリーブ冷熱媒流路
１２０        注入口
１２０ａ〜ｃ  注入口
１４０        上部シール
１５０        下部シール
２００        上型
２０１        キャビティ
２０２        キャビティ表面
２０３        型開閉機構
２０４        昇降機構
２０５        強化繊維基材
２１０ａ〜ｍ  金型冷熱媒流路
２１１ａ〜ｄ  冷熱媒接続口
２１２ａ〜ｆ  Ｕ字接続ホース
２３０ａ〜ｊ  金型冷熱媒流路
２４０        下型
２４１ａ、ｂ  シール材
２５０        スリーブ挿入孔
２５０ａ〜ｄ  スリーブ挿入孔
２６０        成形型
２６３        支柱
２６４        昇降上盤
２６５        昇降下盤
２７０ａ〜ｄ  止め栓
３００        樹脂注入ノズル
３００ａ〜ｃ  樹脂注入ノズル
３１０        樹脂
３２０ａ、ｂ  ノズル冷熱媒ライン
４００        温度制御
４１０        配置
４２０        型締
４３０        真空吸引
４４０        樹脂注入
４５０        硬化時間経過
４６０        型開
４７０        脱型
【図１】
2014087995.tif 000003
【図２】
2014087995.tif 000004
【図３】
2014087995.tif 000005
【図４】
2014087995.tif 000006
【図５】
2014087995.tif 000007
【図６】
2014087995.tif 000008